(57)【要約】【課題】コンテンツをユーザに提供するために有効なシステム及び方法の提供。【解決手段】システムは、サウンド装置と、スマートフォンと、プロセッサとを含んでもよい。サウンド装置は、コードを変調してもよく、ここで、第１の周波数セットが、ロジック０を表し、第２の周波数セットが、ロジック１を表す。スマートフォンは、変調されたコードを復調して、コードを再生してもよい。スマートフォンは、コードを、プロセッサへのクエリとして送信してもよい。プロセッサは、クエリを受信し、コードに関連するコンテンツを決定し、コンテンツを、ネットワーク上で、スマートフォンに送信してもよい。スマートフォンは、更に、コンテンツを受信し、コンテンツを、ディスプレイ上に表示してもよい。【選択図】図１
2013069295.tif 000002
【特許請求の範囲】
【請求項１】
コンテンツをユーザに提供するために有効なシステムであって、前記システムは、
第１の周波数セットの、ロジック０のための、及び、第２の周波数セットの、ロジック１のための割り当てによって、コードを変調して、変調されたコードを生成し、
前記変調されたコードを出力する
ために有効な、サウンド装置と、
前記サウンド装置と通信状態にあるスマートフォンと
を備え、前記スマートフォンは、
前記変調されたコードを受信し、
前記変調されたコードを復調して、前記コードを再生し、
前記コードを、ネットワーク上で、プロセッサへのクエリとして送信する
ために有効であり、前記プロセッサは、
前記コードを含む前記クエリを受信し、
前記コードに関連するコンテンツを決定し、
前記コンテンツを、前記スマートフォンに送信する
ために有効であり、前記スマートフォンは、前記コンテンツを受信し、前記コンテンツを出力するために更に有効である、システム。
【請求項２】
前記サウンド装置は、前記変調されたコードを、サウンドパルスを介して出力するために有効であり、各サウンドパルスは、時間幅を有し、かつ、前記第１の周波数セットの、又は前記第２の周波数セットのものである、請求項１に記載のシステム。
【請求項３】
前記スマートフォンは、前記コンテンツを、ディスプレイ上に表示するために有効である、請求項１に記載のシステム。
【請求項４】
前記サウンド装置は、前記サウンドパルスの前に、第３の周波数セットにおけるクロックパルスを出力するために有効である、請求項２に記載のシステム。
【請求項５】
前記サウンド装置は、テレビを含む、請求項１に記載のシステム。
【請求項６】
前記サウンド装置は、バッジである、請求項１に記載のシステム。
【請求項７】
前記サウンド装置は、人間に聞こえる音を出力するために、及び、前記変調されたコードを出力するために有効な、スピーカを含む、請求項１に記載のシステム。
【請求項８】
前記スマートフォンは、強化されたコードを、前記ネットワーク上で、前記プロセッサに送信するために有効であり、
前記強化されたコードは、前記スマートフォンの位置に関する情報を含む、
請求項１に記載のシステム。
【請求項９】
前記スマートフォンは、強化されたコードを、前記ネットワーク上で、前記プロセッサに送信するために有効であり、
前記強化されたコードは、前記サウンド装置の位置に関する情報を含む、
請求項１に記載のシステム。
【請求項１０】
前記スマートフォンのメモリ内に記憶されたアプリケーションを更に備え、
前記スマートフォンは、強化されたコードを、前記ネットワーク上で、前記プロセッサに送信するために有効であり、
前記強化されたコードは、前記アプリケーションの所有者に関する情報を含む、
請求項１に記載のシステム。
【請求項１１】
前記スマートフォンは、強化されたコードを、前記ネットワーク上で、前記プロセッサに送信するために有効であり、
前記強化されたコードは、前記スマートフォンの識別情報を含む、
請求項１に記載のシステム。
【請求項１２】
前記サウンド装置は、前記変調されたコードを、サウンドパルスを介して出力するために有効であり、各サウンドパルスは、時間幅を有し、かつ、前記第１の周波数セットの、又は前記第２の周波数セットのものであり、
前記スマートフォンは、前記コンテンツを、ディスプレイ上に表示するために有効であり、
前記スマートフォンは、強化されたコードを、前記ネットワーク上で、前記プロセッサに送信するために有効であり、
前記強化されたコードは、アプリケーションの所有者に関する情報を含み、かつ、
前記強化されたコードは、前記スマートフォンの識別情報を含む、
請求項１に記載のシステム。
【請求項１３】
コンテンツをユーザに提供する方法であって、前記方法は、
サウンド装置によって、第１の周波数セットを、ロジック０のために、及び、第２の周波数セットを、ロジック１のために使用して、コードを変調して、変調されたコードを生成し、
前記サウンド装置によって、前記変調されたコードを出力し、
プロセッサにおいて、前記コードを含むクエリを、スマートフォンから受信し、
前記プロセッサにおいて、前記コードに関連するコンテンツを決定し、
前記コンテンツを、前記スマートフォンに送信すること
を含む、方法。
【請求項１４】
前記サウンド装置によって、前記変調されたコードを、サウンドパルスを介して出力することを更に含み、各サウンドパルスは、時間幅を有し、かつ、前記第１の周波数セットの、又は前記第２の周波数セットのものである、請求項１３に記載の方法。
【請求項１５】
前記プロセッサによって、前記スマートフォンの位置に関する情報を含む、強化されたコードを受信することを更に含む、請求項１３に記載の方法。
【請求項１６】
前記プロセッサによって、前記サウンド装置の位置に関する情報を含む、強化されたコードを受信することを更に含む、請求項１３に記載の方法。
【請求項１７】
前記プロセッサによって、前記スマートフォン上に記憶されたアプリケーションの所有者に関する情報を含む、強化されたコードを受信することを更に含む、請求項１３に記載の方法。
【請求項１８】
前記プロセッサによって、前記スマートフォンの識別情報に関する情報を含む、強化されたコードを受信することを更に含む、請求項１３に記載の方法。
【請求項１９】
コンテンツをユーザに提供するために有効なスマートフォンであって、前記スマートフォンは、
マイクロフォンと、
メモリと、
前記マイクロフォン及び前記メモリと通信状態にある、第１のプロセッサとを備え、
前記マイクロフォンは、変調されたコードを受信するために有効であり、前記変調されたコードは、第１の周波数セットを、ロジック０のために、及び、第２の周波数セットを、ロジック１のために使用して変調されたコードを含み、
前記第１のプロセッサは、
前記メモリ内の命令に基づいて、前記変調されたコードを復調して、前記コードを再生し、
前記コードを、ネットワーク上で、第２のプロセッサへのクエリとして送信し、
前記クエリに応えた、前記第２のプロセッサからの、コンテンツを受信し、
前記コンテンツを出力する
ために有効である、スマートフォン。
【請求項２０】
前記プロセッサは、
強化されたコードを、前記ネットワーク上で、前記プロセッサに送信する
ために更に有効であり、前記強化されたコードは、前記命令の所有者に関する情報を含み、かつ、
前記強化されたコードは、前記スマートフォンの識別情報を含む、
請求項１９に記載のスマートフォン。
【発明の詳細な説明】
【技術分野】
【０００１】
本出願は、２０１１年９月２３日出願の、「ＳＹＳＴＥＭ  ＥＦＦＥＣＴＩＶＥ  ＴＯ  ＥＮＣＯＤＥ  Ａ  ＳＩＧＮＡＬ  ＡＮＤ  ＰＲＯＶＩＤＥ  ＣＯＮＴＥＮＴ  ＴＯ  Ａ  ＵＳＥＲ（信号をエンコードし、コンテンツをユーザに提供するために有効なシステム）」と題され、発明者としてＡｌｅｘ  Ｂｅｌｌ（アレックス・ベル）及びＪｏｎａｔｈａｎ  Ｇｌａｎｚ（ジョナサン・グランツ）が挙げられた、同時係属中の、仮出願第６１／５３８，３７０号の優先権を主張するものであり、かつ、２０１１年９月２３日出願の、「ＳＹＳＴＥＭ  ＥＦＦＥＣＴＩＶＥ  ＴＯ  ＤＥＣＯＤＥ  Ａ  ＳＩＧＮＡＬ  ＡＮＤ  ＰＲＯＶＩＤＥ  ＣＯＮＴＥＮＴ  ＴＯ  Ａ  ＵＳＥＲ（信号をデコードし、コンテンツをユーザに提供するために有効なシステム）」と題され、発明者としてＡｌｅｘ  Ｂｅｌｌ（アレックス・ベル）及びＪｏｎａｔｈａｎ  Ｇｌａｎｚ（ジョナサン・グランツ）が挙げられた、同時係属中の、仮出願第６１／５３８，３９５号の、及び、２０１１年９月２３日出願の、「ＤＥＶＩＣＥ  ＥＦＦＥＣＴＩＶＥ  ＴＯ  ＥＮＣＯＤＥ  Ａ  ＳＩＧＮＡＬ  ＡＮＤ  ＴＯ  ＰＲＯＶＩＤＥ  ＣＯＮＴＥＮＴ  ＴＯ  Ａ  ＵＳＥＲ（信号をエンコードするため、及びコンテンツをユーザに提供するために有効な装置）」と題され、発明者としてＡｌｅｘ  Ｂｅｌｌ（アレックス・ベル）及びＪｏｎａｔｈａｎ  Ｇｌａｎｚ（ジョナサン・グランツ）が挙げられた、同時係属中の、仮出願第６１／５３８，４４３号の優先権を主張するものであり、これらの３つの出願は全て、それらの全体が参照によって本明細書中に援用される。
【０００２】
この開示は、コードを変調するため、及び、サウンド装置とのサウンド通信状態にあるスマートフォーンのユーザに、的を絞ったコンテンツを提供するために有効な、システム及び方法に関する。
【背景技術】
【０００３】
スマートフォンは、セルラ又は衛星ネットワーク上で通信することが可能な、装置及び構成を含んでもよい。スマートフォンは、また、スマートフォンが入手できるデータのいくらかを利用することが可能な、アプリケーションを記憶することが可能であってもよい。例えば、アプリケーションは、ユーザの連絡先リストと位置とを組み合わせて、ユーザのための追加のコンテンツを生成することが可能であってもよい。
【発明の概要】
【課題を解決するための手段】
【０００４】
本発明の一実施形態は、コンテンツをユーザに提供するために有効なシステムである。このシステムは、第１の周波数セットの、ロジック０のための、及び、第２の周波数セットの、ロジック１のための割り当てによって、コードを変調して、変調されたコードを生成し、変調されたコードを出力するために有効な、サウンド装置を含んでもよい。このシステムは、サウンド装置と通信状態にあるスマートフォンを更に含んでもよい。スマートフォンは、変調されたコードを受信し、変調されたコードを復調して、コードを再生し、コードを、ネットワーク上で、プロセッサへのクエリとして送信するために有効であってもよい。プロセッサは、コードを含むクエリを受信し、コードに関連するコンテンツを決定し、コンテンツを、スマートフォンに送信するために有効であってもよい。スマートフォンは、コンテンツを受信し、コンテンツを出力するために更に有効であってもよい。
【０００５】
本発明の別の実施形態は、コンテンツをユーザに提供する方法である。この方法は、サウンド装置によって、第１の周波数セットを、ロジック０のために、及び、第２の周波数セットを、ロジック１のために使用して、コードを変調して、変調されたコードを生成することを含んでもよい。この方法は、サウンド装置によって、変調されたコードを出力することを更に含んでもよい。この方法は、プロセッサにおいて、コードを含むクエリを、スマートフォンから受信することを更に含んでもよい。この方法は、プロセッサにおいて、コードに関連するコンテンツを決定することを更に含んでもよい。この方法は、コンテンツを、スマートフォンに送信することを更に含んでもよい。
【０００６】
本発明の更に別の実施形態は、コンテンツをユーザに提供するために有効なスマートフォンである。スマートフォンは、マイクロフォンと、メモリと、マイクロフォン及びメモリと通信状態にある、第１のプロセッサとを含んでもよい。マイクロフォンは、変調されたコードを受信するために有効であり、変調されたコードは、第１の周波数セットを、ロジック０のために、及び、第２の周波数セットを、ロジック１のために使用して変調されたコードを含む。第１のプロセッサは、メモリ内の命令に基づいて、変調されたコードを復調して、コードを再生するために有効であってもよい。第１のプロセッサは、コードを、ネットワーク上で、第２のプロセッサへのクエリとして送信するために有効であってもよい。第１のプロセッサは、クエリに応えた、第２のプロセッサからの、コンテンツを受信するために有効であってもよい。第１のプロセッサは、コンテンツを出力するために有効であってもよい。
【０００７】
この開示の、前述の、及びその他の特徴は、以下の説明、及び添付の特許請求の範囲を、添付の図面と組み合わせて参照することによって、より完全に明らかになるであろう。これらの図面は、本開示によるいくつかの実施形態のみを示し、従って、本開示の範囲を限定するものとみなされるべきではないことを理解して、添付の図面を参照することによって、本開示は、追加の特定性及び詳細と共に説明される。
【図面の簡単な説明】
【０００８】
【図１】本発明の一実施形態による、コードを変調し、コンテンツをユーザに提供するために有効なシステムの、システム図である。
【図２】本発明の一実施形態によって実行されてもよいプロセスを示すフローチャートである。
【発明を実施するための形態】
【０００９】
以下の詳細な説明では、その一部を形成する添付の図面を参照する。文脈によって特に指示されない限り、図面において、同様の記号は、通常、同様の構成要素を識別する。詳細な説明、図面、及び特許請求の範囲に記載された、例示的な実施形態は、限定することを意図するものではない。本明細書中で提示される主題の精神又は範囲を逸脱することなく、その他の実施形態が利用されてもよく、その他の変更が行われてもよい。本明細書中に全般的に記載された、及び添付の図面で示された、本開示の態様は、幅広い様々な構成において、配列、置換、組み合わせ、分離、及び／又は設計されてもよく、それらの全ては本明細書中で明確に企図される、ということは容易に理解されるであろう。
【００１０】
図１を参照すると、本発明の一実施形態によるシステム１００が示されている。要約すれば、スマートフォン１０４が、サウンド装置１０６によって出力されたオーディオ波１３６を受信するように構成されてもよい。波１３６は、バイナリコード１３８を変調するために周波数変調されたものであってもよい。スマートフォン１０４は、波１３６内で送信された、変調されたコード１５２から、コード１３８を復調して、コード１３８を再生してもよい。スマートフォン１０４は、強化されたコード１４０を、ネットワーク１１６を通じて、プロセッサ１５０へのクエリとして送信してもよい。強化されたコード１４０を含むクエリに応えて、プロセッサ１５０は、スマートフォン１０４によって出力されるべきコンテンツ１４８を、スマートフォン１０４に送信してもよい。ユーザ１０２は、スマートフォン１０４の振動などを介して、コンテンツ１４８の受信を通知されてもよい。コンテンツ１４８は、クーポン、音声、映像、音声映像、デジタルコンテンツピース、映画、ウェブページ、コンテンツへのポインタなどの、スマートフォンによって出力されることが可能な任意のものであってもよい。
【００１１】
スマートフォン１０４は、アンテナ１１２、ディスプレイ１１６、メモリ１１８、ユーザインタフェース１４６、マイクロフォン１４５、カメラ１４４（全てプロセッサ１１３と通信状態にある）を含んでもよい。アンテナ１１２は、ネットワーク１２２内のセルラ基地局１４４又は衛星１４２との無線通信を可能にしてもよい。メモリ１１８は、プロセッサ１１３に命令を提供するために有効な、アプリケーション１３４を記憶してもよい。
【００１２】
サウンド装置１０６は、サウンド波を出力することが可能な任意の装置であってもよい。例えば、サウンド装置１０６は、スマートフォン１２０、テレビ１２４、コンピュータ１２６、会議において参加者が装着してもよいバッジ１３０、ビーコンなどのスピーカ１２８、などであってもよい。サウンド装置１０６がビーコン１２８である例では、ビーコン１２８は、例えば、店内の棚１５４の上に配置されてもよい。スピーカ１２８は、拡声システム内などにある、人間に聞こえるサウンド波を出力するために有効なスピーカであってもよい。サウンド装置１０６は、プロセッサ１５６と、コード１３８を含んでもよいメモリ１３２とを、含んでもよく、かつ／又は、それらと通信状態にあってもよい。サウンド装置１０６は、サウンド装置１０６と、スマートフォン１０４を使用している潜在的ユーザ１０２との間の、所望の距離に基づいて、サウンド波１３６のボリュームの大きさを調節するように構成されてもよい。サウンド波１３６のボリュームの大きさに基づいて、変調されたコード１５２をスマートフォン１０４が復調するのが困難な位置、及び、変調されたコード１５２をスマートフォン１０４が復調できる位置を含む、範囲が規定されてもよい。
【００１３】
発明者らは、多くの様々なタイプの装置がサウンド装置１０６のために使用されてもよいため、多くの様々な周波数範囲が、サウンド波１３６上にコード１３８を変調するために使用されてもよく、変調されたコード１５２の復調が複雑になっている、ということを発見した。更に、サウンド装置１０６の周囲の環境は、雑音が多い可能性がある。コード１３８は、ロジック０及びロジック１を含む、バイナリコードであってもよい。サウンド装置１０６は、プロセッサ１５６などを介して、第１の周波数範囲の、ロジック「０」のための割り当て、及び、第２の周波数範囲の、ロジック「１」のための割り当てによって、変調されたコード１５２を、変調及び出力するように構成されてもよい。これにより、様々なスピーカ分解能出力を有してもよい、複数の別個のサウンド装置１０６から、変調されたコード１５２が出力されることが可能になる。
【００１４】
例えば、ロジック「０」が、約２０，５５０Ｈｚと約２１，０００Ｈｚとの間の範囲内の周波数を有する、波１３６の中のサウンドパルスに割り当てられてもよい。同様に、ロジック「１」が、約２１，０００Ｈｚから約２２，０００Ｈｚまでの範囲内の周波数を有するサウンドパルスに割り当てられてもよい。各サウンドパルスは、例えば、持続時間が約１ｍｓであってもよい。サウンド装置１０６は、従って、第１の周波数範囲、及び第２の周波数範囲内のサウンドパルスをそれぞれ出力することによって、一連のロジック０及び１を含む、変調されたコード１５２を生成することが可能であってもよい。変調されたコード１５２全体は、約３２ｍｓの間続いてもよく、そして、３２のロジックビットを含んでもよい。変調されたコード１５２は、サウンド装置１０６によって、繰り返して、かつ周期的に出力されてもよい。一例では、各サウンドパルスの間に、クロックパルスが出力されてもよい。例えば、クロックパルスは、第１及び第２の周波数範囲の中間を中心とするものなどの、第３の周波数セットにおけるものであってもよい。この例では、クロックパルスは、２１，０００Ｈｚにおけるものであってもよい。クロックパルスは、新たなビットの開始を示すために使用されてもよい。
【００１５】
サウンド波１３６は、スマートフォン１０４のマイクロフォン１４５によって受信され、プロセッサ１１３によって、アプリケーション１３４内の命令を使用して処理されてもよい。プロセッサ１１３は、変調されたコード１５２を復調して、コード１３８を再生してもよい。プロセッサ１１３は、次に、コード１３８に、スマートフォン１０４に関連する追加のコンテキストデータを追加して、強化されたコード１４０を生成してもよい。例えば、プロセッサ１１３は、スマートフォン１０４上に記憶されたアプリケーションの所有者に関連する情報（特定のブランド、マーク、又は会社の指示など）を追加してもよい。例えば、アプリケーション１３４は、会社Ｘによって所有されていてもよく、かつ、会社Ｘに関連する製品の販売を促進するために使用されてもよい。強化されたコード１４０は、スマートフォン１０４の位置、及び／又は、サウンド装置１０６の位置に関する情報を含んでもよい。強化されたコード１４０を受け取り次第、プロセッサ１５０が、スマートフォン１０４にコンテンツ１４８を繰り返して送信しなくてもよいように、強化されたコード１４０は、スマートフォン１０４の識別子を含んでもよい。
【００１６】
上述のように、強化されたコード１４０は、ネットワーク１１６上で、プロセッサ１５０へのクエリとして送信されてもよい。強化されたコード１４０に応えて、プロセッサ１５０は、コンテンツ１４８を、ネットワーク１１６上で、スマートフォン１０４に、ディスプレイ１１６上に出力するために送信してもよい。
【００１７】
一例では、ビーコン１２８は、棚１５４の上に置かれて、ブランドＸに関連するコード１３８を含む波１３６を出力してもよい。スマートフォン１０４は、波１３６を受信し、コード１３８を復調し、強化されたコード１４０を生成してもよい。プロセッサ１５０は、強化されたコード１４０を受信して、ブランドＸに関連するコンテンツ１４８を、スマートフォン１０４に送信してもよい。例えば、コンテンツ１４８は、ブランドＸに関連するクーポンを含んでもよい。
【００１８】
いくつかある利点の中でも特に大きな利点は、ユーザが現実世界の場所とのサウンド通信状態にある場合、又は、ユーザがメディアを体験している場合に、本開示によるシステムを使用している広告主が、ユーザのスマートフォンに安価に到達できる可能性がある、ということである。特定の周波数値がクエリとして使用される状況などにおいて、特定の周波数が放射されることを保証するために、プロセッサとフィードバックループとを必要とする、他の装置におけるような、高価なハードウェアが使用される必要はない。店内の通路などの、特定の位置における、潜在的ユーザのスマートフォンが対象にされてもよい。別の例では、変調されたコードを有するサウンド波を出力するために有効な、ビーコンを有する、安価な使い捨てのバッジを、会議の参加者が装着してもよい。コードは、（バッジを有する）人がスマートフォンのすぐ近くにいることを示すコンテンツ１４８をもたらしてもよく、バッジを装着している人に関する情報を更に提供してもよい。テレビコマーシャルが、人間には聞こえないコードを、聞こえるコマーシャルと組み合わせて出力してもよい。
【００１９】
図２を参照すると、本発明の一実施形態によって実行されてもよいプロセスが示されている。このプロセスは、例えば、図１に関して上述した、システム１００を使用して実施されてもよい。
【００２０】
図示されているように、ステップＳ２で、サウンド装置は、第１の周波数セットを、ロジック０のために、及び、第２の周波数セットを、ロジック１のために使用して、コードを変調して、変調されたコードを生成するために有効であってもよい。ステップＳ４で、サウンド装置は、変調されたコードを出力してもよい。
【００２１】
ステップＳ６で、スマートフォンは、変調されたコードを受信してもよい。ステップＳ８で、スマートフォンは、変調されたコードを復調して、コードを再生してもよい。ステップＳ１０で、スマートフォンは、コードを、ネットワーク上で、プロセッサへのクエリとして送信してもよい。
【００２２】
ステップＳ１２で、プロセッサは、コードを含むクエリを、スマートフォンから受信してもよい。ステップＳ１４で、プロセッサは、コードに関連するコンテンツを決定してもよい。ステップＳ１６で、プロセッサは、コンテンツを、スマートフォンに送信してもよい。
【００２３】
ステップＳ１８で、スマートフォンは、コンテンツを受信してもよい。ステップＳ２０で、スマートフォンは、コンテンツを出力してもよい。
【００２４】
様々な態様及び実施形態が、本明細書中で開示されたが、その他の態様及び実施形態は、当業者にとって明らかであろう。本明細書中で開示された様々な態様及び実施形態は、説明の目的のためのものであり、限定することを意図するものではなく、真の範囲及び精神は、特許請求の範囲によって示されている。
【図１】
2013069295.tif 000003
【図２】
2013069295.tif 000004